(57)【要約】      （修正有） 【課題】地紋が付加されている原稿であっても、特定の条件の下に、所定の標識が顕像化されたり原稿が消去されることのない複写が可能となる画像形成装置を提供する。【解決手段】原稿画像データの背景領域に、複写時に所定の標識を顕像化しまたは前記原稿画像データを消去する標識データを地紋データとして付加する地紋処理手段２０３と、前記地紋処理手段２０３により地紋処理された原稿画像データに基づいて記録紙に画像を出力する画像形成手段を備えてなる画像形成装置であって、前記地紋処理手段２０３が、地紋データに前記標識データに加えて前記標識を顕像化しまたは前記原稿画像データを消去するか否かを判別する判別データを付加するように構成されている。【選択図】図１
2007067866.tif 000002
【特許請求の範囲】
【請求項１】
原稿画像データの背景領域に、複写時に所定の標識を顕像化しまたは前記原稿画像データを消去する標識データを地紋データとして付加する地紋処理手段と、前記地紋処理手段により地紋処理された原稿画像データに基づいて記録紙に画像を出力する画像形成手段を備えてなる画像形成装置であって、
前記地紋処理手段が、地紋データに前記標識データに加えて前記標識を顕像化しまたは前記原稿画像データを消去するか否かを判別する判別データを付加するように構成されている画像形成装置。
【請求項２】
前記判別データが前記標識の顕像化または前記原稿画像データの消去を禁止する特定の画像形成装置を識別する機器識別データである請求項１記載の画像形成装置。
【請求項３】
原稿画像を読み取る画像読取手段と、前記画像読取手段により読み取られた原稿画像データから、所定の標識を顕像化しまたは前記原稿画像データを消去する標識データ、及び、前記標識を顕像化するか否かを判別する判別データでなる地紋データが付加されているか否かを検出する地紋検出手段と、前記地紋検出手段により前記地紋データが検出されたときに、前記判別データに基づいて複写画像に前記標識を顕像化しまたは前記原稿画像データを消去するか否かを判別する判別手段と、前記判別手段による判別結果に基づいて生成された所定の原稿画像データに基づいて記録紙に画像を出力する画像形成手段を備えてなる画像形成装置。
【請求項４】
前記判別データが前記標識の顕像化または前記原稿画像データの消去を禁止する特定の画像形成装置を識別する機器識別データであり、前記判別手段により前記機器識別データが自己の機器識別データと一致すると判別されたときに、前記画像形成手段が前記原稿画像データまたは前記地紋が消去された原稿画像データに基づいて記録紙に画像を出力するように構成されている請求項３記載の画像形成装置。（地紋をそのまま出力するか、地紋を消去して出力する）
【発明の詳細な説明】
【技術分野】
【０００１】
本発明は、原稿画像データの背景領域に、複写時に所定の標識を顕像化する標識データを地紋データとして付加する地紋処理手段と、前記地紋処理手段により地紋処理された原稿画像データに基づいて記録紙に画像を出力する画像形成手段を備えてなる画像形成装置に関する。
【背景技術】
【０００２】
従来、複写機により複写した場合に複写物であることを表示し、偽造を防止するとともに、肉眼で観察した場合に複写防止処理が目立たない複写防止印刷物を提供することを目的として、複写機により複写再現されない大きさの背景と複写機により複写再現される大きさの潜像が重ならないように設けられた複写防止パターンと、前記複写防止パターンに重ならないように形成された、複写機により複写再現される大きさの模様パターンとを有する複写防止印刷物が提案されており、例えば、前記複写防止パターンが、網点または万線からなり、複写機により複写再現されることにより所定の複写防止記号を再現するように構成されたものが提案されている。
【０００３】
上述の従来技術を利用した画像形成装置として、スキャナ等の画像読取手段で読み取られた原稿画像データやパーソナルコンピュータから出力された原稿画像データの背景領域に、複写時に所定の標識を顕像化する標識データを地紋データとして付加する地紋処理手段と、前記地紋処理手段により地紋処理された原稿画像データに基づいて記録紙に画像を出力する画像形成手段を備えてなる画像形成装置が実用化されている。このような画像形成装置により出力された画像の背景には、例えば大小二種類のドットパターンの配列でなる潜像が地紋データとして形成されている。
【０００４】
上述の画像を原稿として任意の画像形成装置で複写すると、大径のドットパターンのみが複写画像に再現され、そのドットパターンにより、例えば、「コピー禁止」等の所定の標識が顕像化されるようになり、真贋の区別が容易にできるようになる。
【０００５】
また、前記標識データが付加されていることを検出して、原稿画像データを消去した白紙の用紙を出力することが可能になる。
【特許文献１】特開平１０−２７８４０８号公報
【発明の開示】
【発明が解決しようとする課題】
【０００６】
しかし、上述した従来技術では、地紋が付加された原稿を複写すると、一律に標識が顕像化され、或いは一律の画像の全体または一部が消去されて出力されるので、外部に重要書類を配布するような場合には有効な技術ではあるが、現実に活用し辛い面があった。例えば、重要書類に地紋を付加した原稿を喫緊に作成したいときであっても、地紋が付加されていないオリジナルの原稿または電子データを使用しなければならず、身近に入手できない場合に非常に煩雑な手間がかかるという問題があった。
【０００７】
本発明は、上述の問題点に鑑み、地紋が付加されている原稿であっても、特定の条件の下に、所定の標識が顕像化されたり原稿が消去されることのない複写が可能となる画像形成装置を提供する点にある。
【課題を解決するための手段】
【０００８】
上述の目的を達成するため、本発明による画像形成装置の第一の特徴構成は、特許請求の範囲の書類の請求項１に記載した通り、原稿画像データの背景領域に、複写時に所定の標識を顕像化しまたは前記原稿画像データを消去する標識データを地紋データとして付加する地紋処理手段と、前記地紋処理手段により地紋処理された原稿画像データに基づいて記録紙に画像を出力する画像形成手段を備えてなる画像形成装置であって、前記地紋処理手段が、地紋データに前記標識データに加えて前記標識を顕像化しまたは前記原稿画像データを消去するか否かを判別する判別データを付加するように構成されている点にある。
【０００９】
上述の構成とすることにより、例えば、機密保持を行いたい原稿画像データに基づいた画像を記録紙に出力するときに、所定の標識を顕像化するか、または、前記原稿画像データを消去することで、前記原稿画像データの機密保持を行うことができるのである。
【００１０】
同第二の特徴構成は、同請求項２に記載した通り、上述の第一特徴構成に加えて、前記判別データが前記標識の顕像化または前記原稿画像データの消去を禁止する特定の画像形成装置を識別する機器識別データである点にある。
【００１１】
上述の構成とすることにより、例えば、機密保持を行いたい原稿画像データに基づいた画像を記録紙に出力するときであっても、特定の画像形成装置においては、前記標識の顕像化または前記原稿画像データの消去が行われることなく、画像を記録紙に出力することができるのである。
【００１２】
同第三の特徴構成は、同請求項３に記載した通り、原稿画像を読み取る画像読取手段と、前記画像読取手段により読み取られた原稿画像データから、所定の標識を顕像化しまたは前記原稿画像データを消去する標識データ、及び、前記標識を顕像化するか否かを判別する判別データでなる地紋データが付加されているか否かを検出する地紋検出手段と、前記地紋検出手段により前記地紋データが検出されたときに、前記判別データに基づいて複写画像に前記標識を顕像化しまたは前記原稿画像データを消去するか否かを判別する判別手段と、前記判別手段による判別結果に基づいて生成された所定の原稿画像データに基づいて記録紙に画像を出力する画像形成手段を備えてなる点にある。
【００１３】
上述の構成とすることにより、例えば、前記判別手段が前記記録紙に出力される画像に対して前記標識を顕像化しまたは前記原稿画像データを消去するか否かを判別するための判別データを、前記機密保持を行いたい原稿画像データに予め付加しておけば、前記機密保持を行いたい原稿画像データに基づいた画像を記録紙に出力するときに、所定の標識を顕像化するか、または、前記原稿画像データを消去することで、前記原稿画像データの機密保持を行うことができるのである。
【００１４】
同第四の特徴構成は、同請求項４に記載した通り、上述の第三特徴構成に加えて、前記判別データが前記標識の顕像化または前記原稿画像データの消去を禁止する特定の画像形成装置を識別する機器識別データであり、前記判別手段により前記機器識別データが自己の機器識別データと一致すると判別されたときに、前記画像形成手段が前記原稿画像データまたは前記地紋が消去された原稿画像データに基づいて記録紙に画像を出力するように構成されている点にある。
【００１５】
上述の構成とすることにより、例えば、機密保持を行いたい原稿画像データに基づいた画像を記録紙に出力するときであっても、特定の画像形成装置においては、前記標識の顕像化または前記原稿画像データの消去が行われることなく、画像を記録紙に出力することができるのである。またこのとき、地紋が消去された画像として記録紙に出力することもできるのである。
【発明の効果】
【００１６】
以上説明した通り、本発明によれば、地紋が付加されている原稿であっても、特定の条件の下に、所定の標識が顕像化されたり原稿が消去されることのない複写が可能となる画像形成装置を提供することができるようになった。
【発明を実施するための最良の形態】
【００１７】
以下、本発明による画像形成装置をデジタル複写機に適用した実施形態について説明する。前記デジタル複写機は、図２に示すように、原稿画像を原稿画像データとして読み取る画像読取手段１と、前記画像読取手段１により読み取られた原稿画像データに所定の処理を施して出力画像データを生成する出力画像データ生成部２と、前記出力画像データ生成部２により生成された出力画像データに基づいて出力用紙である記録紙１０に画像を形成して出力する画像形成手段３と、当該デジタル複写機の各種ジョブの動作モードを設定するモード設定キーや設定されたジョブを起動するプリントスイッチなどが配置され、前記モード設定キーによる設定情報などが表示されるタッチパネル式の液晶表示部を備えた操作部４を備えて構成されている。
【００１８】
前記画像読取手段１は、原稿が載置される原稿トレイ１２と、前記原稿トレイ１２に載置された原稿を給紙する原稿給紙部（図示せず）と、前記原稿給紙部により給紙された原稿の画像を読み取るＣＣＤリニアセンサ（図示せず）を備えて構成されている。
【００１９】
前記画像形成手段３は、前記出力画像データに基づいて感光体６０にトナー画像を形成するトナー画像形成部６と、前記形成されたトナー画像が転写される記録紙１０を搬送する搬送部７と、前記転写された記録紙１０上のトナー像を内部に挿入設置された加熱ヒータ（不図示）と温度センサ（付図示）により所定温度に加熱された定着ローラ８ａにより加熱溶融して定着する定着部８とを備えて構成されている。
【００２０】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を記録紙１０に転写する転写部と、転写後に前記感光体６０に残存するトナーを除去するクリーニング部６４と、前記感光体６０表面の残留電位を落して均一にする除電ランプ６５とを備えて構成されている。尚、前記現像部６３には、カラー画像を生成可能とするため、シアン、マゼンダ、イエロー、ブラックの４色の現像ブロックが配置されている。
【００２１】
前記搬送部７は、夫々サイズの異なる記録紙１０が収容された一般給紙カセット１１ａ或いは任意に異なるサイズの記録紙１０が設置される手差しカセット１１ｂから前記記録紙１０を１枚ずつ搬送する給紙搬送部７ａと、前記給紙された記録紙１０を前記転写部に搬送し、トナー像が転写された前記記録紙１０を前記定着部８に向けて搬送する転写搬送部７ｂと、前記定着部８を通過した前記記録紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆとを備えて構成され、夫々には搬送用のローラが設けられている。
【００２２】
前記操作部４は、前記画像読取手段１の手前側に配置され、図３に示すように、左側に画像表示部としてのタッチパネル式のカラー液晶表示部２６を備え、また右側に種々の操作入力キー群２４を備えている。前記操作入力キー群２４は、例えば、コピー枚数などを設定する数値入力キー２１、スタートキー２２、クリア／ストップキー２３、カーソルキー２９、リセットキー１９等の複写動作の基本制御キー群と、特殊モード設定キー２５等により構成されている。
【００２３】
上述したデジタル複写機の制御部は、図４に示すように、前記画像読取手段１による原稿の読取動作を制御する画像読取制御部１Ａと、前記出力画像データ生成部２と、前記画像形成手段３を制御する画像形成制御部３Ａと、前記操作部４の入出力信号を制御する操作制御部４Ａと、上述の各制御ブロック、つまり、前記画像読取制御部１Ａと前記出力画像データ生成部２と前記画像形成制御部３Ａと前記操作制御部４Ａとのタイミングを制御して複写動作などの実行を管理するシステム制御部５とを備えて構成され、前記各制御ブロック、つまり、前記画像読取制御部１Ａと前記出力画像データ生成部２と前記画像形成制御部３Ａと前記操作制御部４Ａと前記システム制御部５には、夫々ＣＰＵ及びＣＰＵによる動作プログラムが格納されたＲＯＭなどが設けられている。
【００２４】
前記画像読取制御部１Ａは、原稿給紙部１０１を駆動して前記原稿トレイ１２に載置された原稿を給紙するとともに、ＣＣＤリニアセンサ１０２により読み取られた原稿画像に対応するアナログ信号をＡ／Ｄ変換手段１０３によりデジタルデータに変換し、また、所定の変換テーブルが設けられた入力画像処理手段１０４により前記変換したデジタルデータに対してシェーディング補正処理やγ補正処理を実施することで原稿画像データを生成するように構成されている。
【００２５】
前記出力画像データ生成部２は、前記入力画像処理手段１０４から出力される前記原稿画像データに対して前記原稿画像の機密保持処理を行う機密保持処理部２０と、前記機密保持処理部２０により機密保持処理が行われた画像データに対して空間フィルタ処理、中間調処理、拡縮処理等の画像データ変換処理を行なう画像変換部２１と、前記画像変換部２１からの出力画像データを前記プリントヘッド６２に対する駆動信号に変換するデータ変換手段２２とを備えて構成され、前記変換された駆動信号が前記プリントヘッド６２の駆動回路に出力されるように構成されている。
【００２６】
上述のデジタル複写機では、前記原稿トレイ１２に原稿を載置し、前記操作部４に複写枚数、出力用紙サイズ、複写倍率などのモード設定キーを適切に設定操作した後にプリントスイッチを押圧操作することにより複写動作が開始される。即ち、前記システム制御部５は、前記画像読取制御部１Ａに原稿画像の読取りコマンドを出力して、前記画像処理部２に読取られた画像データに基づいた出力画像の生成コマンドを出力し、前記画像出力制御部３Ａに画像出力コマンドを出力する。前記画像出力制御部３Ａは、前記搬送部７を駆動して前記一般給紙カセット１１ａ或いは前記手差しカセット１１ｂから記録紙１０を搬送させた後に、所定のタイミングで前記画像出力制御部３Ａに画像データ出力コマンドを出力して前記プリントヘッド６２を駆動する。前記プリントヘッド６２により露光された前記感光体６０にトナー画像が形成されると、前記トナー像が前記記録紙１０に転写され、前記定着部８で定着処理された後に前記複写機外に排出される構成となっている。
【００２７】
前記機密保持処理部２０は、前記原稿画像データに詳細は後述する所定の地紋データが含まれていたときに、前記原稿画像データに基づいて前記画像形成手段３により出力される複写画像Ｐｃが、例えば、図５（ａ）に示すような、前記原稿画像Ｐｖａに所定の標識Ｐｈが顕在化された標識顕在化画像Ｐｃ１となるように、また或いは、例えば、図５（ｂ）に示すような、前記原稿画像Ｐｖａにおける主画像Ｐｍ等が消去された原稿消去画像Ｐｃ２等となるように、前記原稿画像データを編集するとともに、前記原稿画像データに前記所定の地紋データが含まれていなかったときに、前記原稿画像データに地紋データを付加するもので、図１に示すように、前記入力画像処理手段１０４から出力される前記原稿画像データを記憶する原稿画像データ記憶手段２０１と、前記原稿画像データに所定の地紋データが含まれているか否かを検出する地紋検出手段２０２と、前記地紋検出手段２０２により前記所定の地紋データが検出されなかったときに前記原稿画像データに新たに地紋データを付加する地紋処理手段２０３と、前記地紋検出手段２０２により前記所定の地紋データが検出されたときに前記検出された所定の地紋データに基づいて前記原稿画像データを編集する原稿画像データ編集手段２０４を備えて構成されている。
【００２８】
ここで、前記所定の地紋データは、図６に示すように、前記原稿画像Ｐｖａにおける背景領域に、一定の間隔で繰り返し配置されている所定の繰り返しパターン３０に基づいた画像データであり、前記繰り返しパターン３０は、前記所定の標識Ｐｈとして顕在化される標識パターン３０ａと、後述する所定の編集条件を判別するための判別パターン３０ｂから構成されている。つまり、前記繰り返しパターン３０に基づいた前記地紋データは、前記標識パターン３０ａに基づいた標識データと、前記判別パターン３０ｂに基づいた判別データから構成されている。
【００２９】
前記地紋検出手段２０２は、前記原稿画像データに前記所定の地紋データが含まれているか否かを検出するもので、例えば、予め記憶されている画像サンプルパターンデータの特徴量と同一の特徴量となる画像パターンデータを抽出し、前記抽出した画像パターンデータが予め記憶されている繰り返しパターンで配置されていたときに、その画像パターンデータを地紋データとして検出するように構成されている。
【００３０】
詳述すると、図７に示すように、前記原稿画像データ記憶手段２０１に前記入力画像処理手段１０４から出力される前記原稿画像データが記憶されると（ＳＡ１）、前記地紋検出手段２０２は、前記原稿画像データを所定の階調値を境として暗値と明値に二値化した二値化画像データを生成し（ＳＡ２）、前記二値化画像データにおいて暗値となっている画素が所定の集合条件で集合している暗値集合データ領域を抽出する（ＳＡ３）。前記所定の集合条件は、例えば、前記検出する地紋データに基づいて、所定数以下で連結している暗値画素群が、所定の方向に所定の範囲内で所定数だけ存在するデータ領域とすることができる。
【００３１】
尚、前記所定の集合条件に合致するデータ領域がなく、前記暗値集合データ領域を抽出できなかったときには（ＳＡ４）、前記原稿画像データに地紋データが含まれていないと判別する（ＳＡ５）。
【００３２】
次に、前記抽出した各暗値集合データ領域において、それぞれ暗値の画素からなる暗値画像パターンデータの特徴量を導出するとともに（ＳＡ６）、前記導出された暗値画像パターンデータの特徴量と予め記憶されている暗値画像サンプルパターンデータの特徴量を比較し（ＳＡ７）、一致する前記暗値画像パターンデータのみを抽出する（ＳＡ８）。
【００３３】
尚、前記予め記憶されている暗値画像サンプルパターンデータの特徴量と一致する前記暗値画像パターンデータがなかったときには（ＳＡ７）、前記原稿画像データに地紋データが含まれていないと判別する（ＳＡ５）。
【００３４】
そして、前記抽出された前記暗値画像パターンデータが予め記憶されている繰り返しパターンで配置されていたときに（ＳＡ９）、前記暗値画像パターンデータを地紋データとして検出する（ＳＡ１０）。また、前記抽出された前記暗値画像パターンデータが予め記憶されている繰り返しパターンで配置されていなかったときには（ＳＡ９）、前記原稿画像データに地紋データが含まれていないと判別する（ＳＡ５）。
【００３５】
前記原稿画像データ編集手段２０４は、前記地紋検出手段２０２により前記所定の地紋データが検出されたときに、前記検出された所定の地紋データにおける判別データに基づいて前記原稿画像データを編集するもので、前記画像形成手段３により出力される複写画像Ｐｃを、例えば、前記図５（ａ）に示したような、前記原稿画像Ｐｖａに所定の標識Ｐｈが顕在化された標識顕在化画像Ｐｃ１とするか、また或いは、例えば、前記図５（ｂ）に示したような、前記原稿画像Ｐｖａにおける主画像Ｐｍ等が消去された原稿消去画像Ｐｃ２等とするかを、前記検出された所定の地紋データにおける判別データに基づいて判別する判別手段２０５を備え、前記判別手段２０５による判別結果に基づいて前記原稿画像データを編集するように構成されている。
【００３６】
詳述すると、図８に示すように、前記地紋検出手段２０２により前記所定の地紋データが検出されると（ＳＢ１）、原稿画像データ編集手段２０４は、前記判別手段２０５により、前記検出された所定の地紋データから、前記判別データを抽出し（ＳＢ２）、前記抽出した判別データに基づいて前記画像形成手段３により出力される複写画像Ｐｃを、前記標識顕在化画像Ｐｃ１とするか、また或いは、前記原稿消去画像Ｐｃ２とするか、更には、他の画像とするかを判別する（ＳＢ３）。
【００３７】
ここで、前記判別手段２０５による前記判別は、予め前記判別手段２０５に記憶された複数のサンプル判別データと前記抽出された判別データを比較し、前記抽出された判別データと一致するサンプル判別データに対応する所定の編集条件を選択することで実施されるように構成されている。
【００３８】
このため、前記判別データは、特定の判別パターンに基づいた判別データに限定されるものではなく、種々のサンプル判別データが予め記憶され、それぞれに対応する所定の編集条件が設定されていれば、前記各サンプル判別データに対応した判別データに基づいて種々の編集条件や他の条件を判別、つまり、選択することができる。
【００３９】
例えば、前記判別データを、特定の画像形成装置としてのデジタル複写機を識別するための機器識別データとしても機能させ、前記判別手段２０５により、前記機器識別データとしての前記判別データから、当該デジタル複写機が前記所定の標識を顕在化させることのないオリジナル画像Ｐｏを出力することが許可されたデジタル複写機であると判別して、前記画像形成手段３により出力される複写画像Ｐｃを、前記オリジナル画像Ｐｏとするように判別することもできる。またこのときには、図９に示すように、前記オリジナル画像Ｐｏを前記原稿画像Ｐｖａから前記繰り返しパターン３０を削除したノーマル画像Ｐｎとするように判別してもよい。
【００４０】
そして、前記原稿画像データ編集手段２０４は、前記判別手段２０５により、上述したような前記原稿画像データの編集条件が判別されると、前記編集条件に基づいて前記原稿画像データを編集し（ＳＢ４）、前記編集した原稿画像データを前記画像変換部２１へ出力する（ＳＢ５）。
【００４１】
尚、前記原稿画像データ編集手段２０４は、例えば、前記画像形成手段３により出力される複写画像Ｐｃが、前記標識顕在化画像Ｐｃ１のように、所定の標識が顕在化された画像となるように前記原稿画像データの編集を行うときには、前記地紋データから前記標識データを抽出し、前記抽出した標識データに基づいて前記顕在化される標識としての画像やその大きさ、位置、数等を設定する。つまり、前記原稿画像データ編集手段２０４には、予め複数のサンプル標識データがそれぞれに対応する所定の設定条件とともに記憶され、前記原稿画像データ編集手段２０４は、前記抽出された標識データと一致するサンプル標識データに対応する所定の設定条件に基づいて前記判別手段２０５により判別された編集条件で前記原稿画像データを編集する。
【００４２】
前記地紋処理手段２０３は、前記地紋検出手段２０２により前記所定の地紋データが検出されなかったときに、ユーザ等の意思等により、前記原稿画像データに基づいて前記画像形成手段３により出力される複写画像Ｐｃが、例えば、図１０に示すような、原稿画像Ｐｖｂの背景領域に前記標識パターン３０ａと前記判別パターン３０ｂからなる繰り返しパターン３０としての地紋パターンが付加された地紋付加画像Ｐｃ３となるように、前記原稿画像データに新たに地紋データを付加するように構成されている。
【００４３】
詳述すると、図１１に示すように、前記地紋検出手段２０２により前記原稿画像データに前記所定の地紋データが含まれていないと判別されると（ＳＣ１）、前記地紋処理手段２０３は、前記カラー液晶表示部２６に、原稿画像の機密保持対策を行うか否かの操作入力をユーザに促す旨の選択画面の表示を行う（ＳＣ２）。
【００４４】
ユーザから前記操作部４を介して前記機密保持対策を行わないと操作指示されたときには（ＳＣ３）、前記原稿画像データ記憶手段２０１に記憶された原稿画像データをそのまま前記画像変換部２１に出力する（ＳＣ４）。尚、このときには、前記画像形成手段３により出力される複写画像Ｐｃは、前記地紋付加画像Ｐｃ３にはならない。
【００４５】
一方、ユーザから前記操作部４を介して前記機密保持対策を行うと操作指示されたときには（ＳＣ３）、前記カラー液晶表示部２６に、所定の機密保持対策を設定する機密保持対策設定画面を表示する（ＳＣ５）。
【００４６】
前記機密保持対策設定画面は、前記原稿画像データ記憶手段２０１に記憶された原稿画像データに基づいて前記画像形成手段３により出力される複写画像Ｐｃが、もしも再度、前記機密保持処理部２０を備えた何れかのデジタル複写機によって新たな原稿画像データとして読み取られたときに、前記デジタル複写機により再度出力される複写画像Ｐｃ（Ｐｃ）の画像状態をどのような画像状態にするかといった機密保持対策の選択画面であり、ユーザが前記操作部４を介して、例えば、前記標識顕在化画像や前記原稿消去画像等といった前記再度出力される複写画像Ｐｃ（Ｐｃ）の画像状態の設定や、顕在化される標識やその大きさ、位置、数等の設定、また更には、特定のデジタル複写機においては前記再度出力される複写画像Ｐｃ（Ｐｃ）の画像状態を前記オリジナル画像や前記ノーマル画像とする旨の設定等を行うことができる。
【００４７】
ユーザにより前記操作部４を介した前記機密保持対策が設定されると（ＳＣ６）、前記地紋処理手段２０３は、前記機密保持対策に応じた前記標識データと前記判別データからなる前記地紋データを生成し（ＳＣ７）、前記生成した地紋データを前記原稿画像データ記憶手段２０１に記憶されている原稿画像データに付加する（ＳＣ８）。尚、このとき、前記地紋処理手段２０３は、前記画像形成手段３により出力される複写画像Ｐｃが、例えば、前記図１０に示したように、前記原稿画像Ｐｖｂの背景領域に前記標識パターン３０ａと前記判別パターン３０ｂからなる繰り返しパターン３０としての地紋パターンが付加された地紋付加画像Ｐｃ３となるように、前記原稿画像データに前記地紋データを付加する。
【００４８】
そして、前記地紋処理手段２０３は、前記地紋データを付加した原稿画像データを前記画像変換部２１へ出力する（ＳＣ９）。
【００４９】
つまり、前記デジタル複写機は、機密保持を行いたい原稿画像データに基づいた画像を記録紙に出力するときに、所定の標識を顕像化するか、または、前記原稿画像データを消去することで、前記原稿画像データの機密保持を行うことができる。
【００５０】
また、機密保持を行いたい原稿画像データに基づいた画像を記録紙に出力するときであっても、特定のデジタル複写機においては、前記標識の顕像化または前記原稿画像データの消去が行われることなく、画像を記録紙に出力することができる。尚、このとき、地紋パターンが消去された画像として記録紙に出力することもできる。
【００５１】
言い換えると、前記デジタル複写機は、地紋が付加されている原稿であっても、特定の条件の下に、所定の標識が顕像化されたり原稿が消去されることのない複写ができる。
【００５２】
上述した実施形態は、本発明の一例に過ぎず、本発明の作用効果を奏する範囲において各ブロックの具体的構成等を適宜変更設計できることは言うまでもない。
【図面の簡単な説明】
【００５３】
【図１】機密保持処理部における機能ブロック構成の説明図
【図２】デジタル複写機の概観説明図
【図３】操作部の説明図
【図４】デジタル複写機の制御部における機能ブロック構成の説明図
【図５】（ａ）原稿画像と標識顕在化画像の説明図、（ｂ）原稿画像と原稿消去画像の説明図
【図６】地紋データの説明図
【図７】地紋検出手段の動作を説明するためのフローチャート
【図８】原稿画像データ編集手段の動作を説明するためのフローチャート
【図９】ノーマル画像の説明図
【図１０】地紋付加画像の説明図
【図１１】地紋処理手段の動作を説明するためのフローチャート
【符号の説明】
【００５４】
１：画像読取手段
２：出力画像データ生成部
３：画像形成手段
４：操作部
２０：機密保持処理部
２１：画像変換部
１０４：入力画像処理手段
２０１：原稿画像データ記憶手段
２０２：地紋検出手段
２０３：地紋処理手段
２０４：原稿画像データ編集手段
２０５：判別手段
【図１】
2007067866.tif 000003
【図２】
2007067866.tif 000004
【図３】
2007067866.tif 000005
【図４】
2007067866.tif 000006
【図５】
2007067866.tif 000007
【図６】
2007067866.tif 000008
【図７】
2007067866.tif 000009
【図８】
2007067866.tif 000010
【図９】
2007067866.tif 000011
【図１０】
2007067866.tif 000012
【図１１】
2007067866.tif 000013